(57)【特許請求の範囲】
【請求項１】
泡消火設備を設置した駐車場の地上に開口する開口部と、
前記駐車場の地下に埋設され、前記開口部を通じて、前記泡消火設備から消火区画に放出された消火液を回収し、回収された前記消火液を下水流下可能濃度まで希釈する希釈用水槽と、
希釈された前記消火液を下水に放流する排出手段と、を備え、
前記希釈用水槽の容積が、前記消火設備からの放出可能な前記消火液の上限量と、放出された前記消火液を下水流下可能濃度まで希釈するのに必要な希釈水の量とに基づいて設定され、且つ前記希釈水が、日常的に前記希釈用水槽内に貯水されたことを特徴とする泡消火設備から放出された消火液の廃棄処理システム。
【請求項２】
前記希釈用水槽で希釈された前記消火液を導入し曝気処理する曝気槽を備え、前記排出手段が、前記曝気槽で曝気処理された前記消火液を下水に放流する請求項１に記載の泡消火設備から放出された消火液の廃棄処理システム。
【請求項３】
前記希釈用水槽が、該希釈用水槽内の水質を検査する水質検査用取水装置を備えた請求項１または２に記載の泡消火設備から放出された消火液の廃棄処理システム。
【請求項４】
前記希釈用水槽が、雨水貯槽を兼ねている請求項１〜３のいずれか１項に記載の泡消火設備から放出された消火液の廃棄処理システム。
【発明の詳細な説明】
【技術分野】
【０００１】
本発明は、駐車場など油火災のおそれのある施設に設置されている泡消火設備から放出された消火液の廃棄処理システムに関する。
【背景技術】
【０００２】
駐車場など油火災のおそれのある施設では泡消火設備が設置されている。泡消火設備としては、一般に、泡消火薬剤の原液を収容した泡消火薬剤原液タンクと、水源水槽と、水源水槽内の水を汲み上げ送水するポンプと、泡消火薬剤原液と水とを混合する混合装置と、混合装置で混合された消火液の通過を検知することにより火災の発生を知らせる流水検知装置と、流水検知装置の一次側配管に一定の圧力を加える圧力タンクと火災時や設備検査時に弁の開閉を行う一斉開放弁と、火災を検知して一斉開放弁を開放する火災感知用ヘッドと、流水検知装置の二次側配管に設けられ消火液を泡状にして放出する泡ヘッド等で構成されている（例えば、特許文献１参照。）。
【０００３】
このように構成された泡消火設備では、火災感知用ヘッドによる火災の検知により、或いは設備検査により一斉開放弁が開放すると、二次側配管に消火液が流れ泡ヘッドから泡状となって放出される。そして消火液の流出により一次側配管内の圧力低下を圧力タンクに備えられている圧力スイッチが検知すると、ポンプが起動して水源水槽内の水が汲み上げられ、水と泡消火薬剤原液タンクの泡消火薬剤原液が混合装置により所定の比率で混合されて消火液となり、泡ヘッドへ供給され泡状となって放出される。
このようして放出された消火液は、火災時にはそのまま下水に放流され、また、設備設置時の試験や定期点検といった設備検査時にはタンクに回収され産業廃棄物処理が行われている。
【先行技術文献】
【特許文献】
【０００４】
【特許文献１】特開平８−８９５９４号公報
【発明の概要】
【発明が解決しようとする課題】
【０００５】
上記のように、従来の泡消火設備では、火災時に放出された消火液はそのまま放流されるため、環境負荷の少ない生分解性の高い泡消火薬剤が好ましい。しかし、生分解性の高い泡消火薬剤でも、消火剤として十分な性能を発揮させようとすると、水と混合する泡消火薬剤の混合濃度を上げなければならない場合があり、泡消火薬剤の混合濃度を上げるとＢＯＤ値が高くなり、環境などへの負荷が多くなるといった問題がある。
また、設備設置時の試験や定期点検といった設備検査時には、放出した消火液をタンクに回収し、産業廃棄物処理業者に搬送して廃棄処理を行っているが、産業廃棄物処理には多大な手間と費用が掛かるといった問題がある。
【０００６】
本発明の目的は、火災時や設備検査時に泡消火設備から放出された消火液の環境負荷を低減させ、下水への放流を可能とする、泡消火設備から放出された消火液の廃棄処理システムを提供することにある。
【課題を解決するための手段】
【０００７】
上記の目的を達成するために、請求項１に記載の発明は、泡消火設備を設置した施設に、泡消火設備から消火区画に放出された消火液を回収し下水流下可能濃度まで希釈する希釈用水槽と、希釈用水槽で希釈された消火液を下水に放流する排出手段を備えたことを特徴とする。
【０００８】
請求項２に記載の発明は、泡消火設備を設置した施設に、泡消火設備から消火区画に放出された消火液を回収し下水流下可能濃度まで希釈する希釈用水槽と、希釈用水槽で希釈された消火液を導入し曝気処理する曝気槽と、曝気槽で曝気処理された消火液を下水に放流する排出手段を備えたことを特徴とする。
【０００９】
請求項３に記載の発明は、請求項１または２のいずれか１項に記載の、前記希釈用水槽は、雨水貯槽を兼ねていることを特徴とする。
【発明の効果】
【００１０】
請求項１に記載の泡消火設備から放出された消火液の廃棄処理システムによれば、泡消火設備を設置した施設に、泡消火設備から消火区画に放出された消火液を回収し下水流下可能濃度まで希釈する希釈用水槽と、希釈用水槽で希釈された消火液を下水に放流する排出手段を備えたので、放出された消火液を希釈用水槽に回収し、希釈用水槽に回収した消火液を下水流下可能濃度まで希釈することにより環境負荷を低減した環境にやさしい消火液として排出手段により下水に放流することができる。
これにより、水と混合する泡消火薬剤の混合濃度の混合濃度を上げても環境負荷を低減できるので、消火剤として十分な性能を発揮できる混合濃度としても環境にやさしい消火液として下水に放流することができる。
また、設備検査時に泡消火設備から放出された消火液も希釈用水槽で下水流下可能濃度まで希釈し環境負荷を低減した環境にやさしい消火液として下水に放流することができるので、消火液をタンクに回収して産業廃棄物処理を行うといった面倒な手間や費用が掛からなくなる。
また、希釈用水槽に回収され希釈された消火液は、下水に放流せずそのまま貯水しておくことにより、泡消火設備が防護する消火区画以外の火災における消火活動用の用水として活用することもできる。
【００１１】
請求項２に記載の泡消火設備から放出された消火液の廃棄処理システムによれば、泡消火設備を設置した施設に、泡消火設備から消火区画に放出された消火液を回収し下水流下可能濃度まで希釈する希釈用水槽と、希釈用水槽で希釈された消火液を導入し曝気処理する曝気槽と、曝気槽で曝気処理された消火液を下水に放流する排出手段を備えたので、放出された消火液を希釈用水槽に回収し、希釈用水槽に回収した消火液を下水流下可能濃度まで希釈し、さらに、希釈用水槽で希釈された消火液を曝気槽で曝気処理することにより、一層環境負荷を低減した環境にやさしい消火液として排出手段により下水に放流することができる。
これにより、水と混合する泡消火薬剤の混合濃度の混合濃度を上げても環境負荷を低減できるので、消火剤として十分な性能を発揮できる混合濃度としても環境にやさしい消火液として下水に放流することができる。
また、設備検査時に泡消火設備から放出された消火液も希釈用水槽で下水流下可能濃度まで希釈し環境負荷を低減した環境にやさしい消火液として下水に放流することができるので、消火液をタンクに回収して産業廃棄物処理を行うといった面倒な手間や費用が掛からなくなる。
また、希釈用水槽に回収され希釈された消火液は、下水に放流せずそのまま貯水しておくことにより、泡消火設備が防護する消火区画以外の火災における消火活動用の用水として活用することもできる。
【００１２】
請求項３に記載の泡消火設備から放出された消火液の廃棄処理システムによれば、請求項１または２のいずれか１項に記載の、前記希釈用水槽は、雨水貯槽を兼ねているので、希釈用水槽に溜まった雨水を希釈水として利用することができる。
【図面の簡単な説明】
【００１３】
【図１】本発明に係る泡消火設備から放出された消火液の廃棄処理システムの実施の形態の第１例を示す概略構成説明図である。
【図２】本発明に係る泡消火設備から放出された消火液の廃棄処理システムの実施の形態の第２例を示す概略構成説明図である。
【発明を実施するための形態】
【００１４】
以下、本発明に係る泡消火設備から放出された消火液の廃棄処理システムを実施するための形態を、図面を参照して詳細に説明する。
図１は本発明に係る泡消火設備から放出された消火液の廃棄処理システムの実施の形態の第１例を示す概略構成説明図である。
【００１５】
本例の泡消火設備から放出された消火液の廃棄処理システムは、泡消火設備１を設置した施設２に、泡消火設備１から消火区画に放出された消火液を回収し下水流下可能濃度まで希釈する希釈用水槽３と、希釈用水槽３で希釈された消火液を下水に放流する排出手段４を備えている。
下水流下可能濃度とは、国や各地方自治体等で定められている下水流下可能なＢＯＤ値になる濃度をいう。
【００１６】
泡消火設備１にあっては、従来実施されている泡消火設備が全て対象となり、特に限定されない。
本例では、水源水槽５と、水源水槽５内の水を汲み上げ送水するポンプ６と、泡消火薬剤の原液を収容した泡消火薬剤原液タンク７と、泡消火薬剤原液と水とを混合する混合装置８と、混合装置８で混合された消火液の通過を検知することにより火災の発生を知らせる流水検知装置９と、流水検知装置９の一次側配管１０に一定の圧力を加える圧力タンク１１と火災時や設備検査時に弁の開閉を行う一斉開放弁１２と、火災を検知して一斉開放弁１２を開放する火災感知用ヘッド１３と、流水検知装置９の二次側配管１４に設けられ消火液を泡状にして放出する泡ヘッド１５等で構成されている。
【００１７】
このように構成された泡消火設備１では、火災感知用ヘッド１３による火災の検知により、或いは設備検査により一斉開放弁１２が開放すると、二次側配管１４に消火液が流れ泡ヘッド１５から泡状となって放出される。そして消火液の流出により一次側配管１０内の圧力低下を圧力タンク１１に備えられている圧力スイッチ（図示せず）が検知すると、制御部１６に制御されてポンプ６が起動し水源水槽５内の水が汲み上げられ、水と泡消火薬剤原液タンク７の泡消火薬剤原液が混合装置８により所定の比率で混合されて消火液となり、泡ヘッド１５へ供給され泡状となって放出される。
【００１８】
泡消火設備１を設置した施設２は、駐車場など油火災のおそれのある施設であり、本例では駐車場となっている。
【００１９】
泡消火設備１を設置した施設２に備えた希釈用水槽３は、地下に埋設されており、地上には放出された消火液が希釈用水槽３内に流入する開口部（図示せず）が設けられている。希釈用水槽３の容積は、消火設備１からの放出可能な消火液の上限量と、放出された消火液を下水流下可能濃度、即ち下水流下可能なＢＯＤ値まで希釈するのに必要な希釈水の量を基に設定される。
また、希釈用水槽３には、希釈用水槽３内の水質を検査する水質検査用取水装置１７が備えられている。
希釈用水槽３で希釈された消火液を下水に放流する排出手段４は、希釈用水槽３と下水１８を連結する排水管１９と、排水管１９に設けられた開閉弁２０とで構成されている。
【００２０】
このように構成された第１例の泡消火設備から放出された消火液の廃棄処理システムによれば、次のようにして消火液の廃棄処理が行われる。
【００２１】
まず、日常的に希釈用水槽３内に希釈水を貯水しておく。希釈水は、消火設備１から放出された消火液を下水流下可能濃度まで希釈するのに必要な希釈水の量を貯水する。
そして、火災の発生或いは設備設置時の試験や定期点検といった設備検査時に消火設備１から消火液が放出されたとき、放出された消火液は地上に開口する開口部から希釈用水槽３内に流入し、希釈用水槽３内の希釈水により下水流下可能濃度に希釈される。
【００２２】
火災が消火し或いは設備検査が終了し、消火液の放出が停止したら、希釈用水槽３内で希釈された消火液は、水質検査用取水装置１７で取り出し、水質検査をして下水流下可能濃度まで希釈されていることを確認し、排出手段４を構成する希釈用水槽３と下水１８を連結する排水管１９に設けられた開閉弁２０を開き、希釈された消火液を下水１８に放流する。
水質検査の結果、下水流下可能濃度まで希釈されていない場合は、希釈用水槽３内に希釈水を入れ、下水流下可能濃度まで希釈してから下水１８に放流する。
【００２３】
図２は本発明に係る泡消火設備から放出された消火液の廃棄処理システムの実施の形態の第２例を示す概略構成説明図である。
【００２４】
本例の泡消火設備から放出された消火液の廃棄処理システムは、第１例の泡消火設備から放出された消火液の廃棄処理システムに、更に曝気槽２１を備えたものであり、他の構成は第１例と同様なので、第１例と同様の構成については同一の符号を付して説明する。
【００２５】
本例では、希釈用水槽３に曝気槽２１が併設され、希釈用水槽３と曝気槽２１は導入管２２で連結されており、希釈用水槽３で希釈された消火液が導入管２２を通して曝気槽２１に導入され曝気処理されるようになっている。曝気槽２１には曝気処理された消火液を下水に放流する排出手段２３が備えられている。排出手段２３は、曝気槽２１と下水１８を連結する排水管２４と、排水管２４に設けられた開閉弁２５とで構成されている。
その他の構成は第１例と同一の構成なので、第１例の説明を援用し、その説明を省略する。
【００２６】
このように構成された第２例の泡消火設備から放出された消火液の廃棄処理システムによれば、次のようにして消火液の廃棄処理が行われる。
第１例と同様に、まず、日常的に希釈用水槽３内に希釈水を貯水しておく。希釈水は、消火設備１から放出された消火液を下水流下可能濃度まで希釈するのに必要な希釈水の量を貯水する。
そして、火災の発生或いは設備設置時の試験や定期点検といった設備検査時に消火設備１から消火液が放出されたとき、放出された消火液は地上に開口する開口部から希釈用水槽３内に流入し、希釈用水槽３内の希釈水により下水流下可能濃度に希釈される。
火災が消火し或いは設備検査が終了し、消火液の放出が停止したら、希釈用水槽３内で希釈された消火液は、水質検査用取水装置１７で取り出し、水質検査をして下水流下可能濃度まで希釈されていることを確認し、下水流下可能濃度まで希釈されていない場合は、希釈用水槽３内に希釈水を入れ、下水流下可能濃度まで希釈する。
【００２７】
希釈用水槽３で希釈された消火液が導入管２２を通して曝気槽２１に導入されたら、曝気槽２１で曝気処理し、所定時間経過後、排出手段２３を構成する曝気槽２１と下水１８を連結する排水管２４に設けられた開閉弁２５を開き、希釈された消火液を下水１８に放流する。
【符号の説明】
【００２８】
１  泡消火設備
２  施設
３  希釈用水槽
４  排出手段
５  水源水槽
６  ポンプ
７  泡消火薬剤原液タンク
８  混合装置
９  流水検知装置
１０  一次側配管
１１  圧力タンク
１２  一斉開放弁
１３  火災感知用ヘッド
１４  二次側配管
１５  泡ヘッド
１６  制御部
１７  水質検査用取水装置
１８  下水
１９  排水管
２０  開閉弁
２１  曝気槽
２２  導入管
２３  排出手段
２４  排水管
２５  開閉弁
【図１】
0006389077.tif 000002
【図２】
0006389077.tif 000003